(57)【要約】【課題】回動軸の軸受部の破損を防止して製品安全性の向上を図るチルトパネル及び記録装置を提供する。【解決手段】パネル本体２１に設けられた回動軸２３が内部ハウジング２ａにネジ止めされた軸受部２２に軸支されて回動軸２３周りに変位自在な操作パネル２０であって、軸受部２２に内部ハウジング２ａと係合する係合部５０を有するという構成を採用する。【選択図】図２
2011102020.tif 000002
【特許請求の範囲】
【請求項１】
パネル本体に設けられた回動軸がハウジングにネジ止めされた軸受部に軸支されて前記回動軸周りに変位自在なチルトパネルであって、
前記軸受部に前記ハウジングと係合する係合形状を有することを特徴とするチルトパネル。
【請求項２】
前記係合形状は、前記回動軸の軸方向において、前記パネル本体と前記ネジ止め位置との間の位置で前記係合することを特徴とする請求項１に記載のチルトパネル。
【請求項３】
前記係合形状は、前記回動軸の軸方向と直交する方向において、前記ネジ止め位置よりも手前側で前記係合することを特徴とする請求項１または２に記載のチルトパネル。
【請求項４】
前記係合形状は、前記軸受部に一体で設けられたフック形状であることを特徴とする請求項１〜３のいずれか一項に記載のチルトパネル。
【請求項５】
前記ハウジングは、前記軸受部を位置決めする位置決めピンを有し、
前記軸受部は、前記位置決めピンが挿入される開口部を有し、
前記フック形状は、前記ハウジングと係合した状態で、前記位置決めピンよりも前記開口部が高くなるように前記軸受部を傾かせるためのテーパー形状を有することを特徴とする請求項４に記載のチルトパネル。
【請求項６】
請求項１〜５のいずれか一項に記載のチルトパネルを有することを特徴とする記録装置。
【発明の詳細な説明】
【技術分野】
【０００１】
本発明は、チルトパネル及び記録装置に関する。
【背景技術】
【０００２】
記録媒体に記録処理を実施する記録装置は、例えば記録ヘッドを備えてインクジェットによる記録処理を実施する形態や、感光体に静電潜像を形成し、トナー像を記録媒体に転写して記録処理を実施する形態等がある。
記録装置は、例えば下記特許文献１のように、所定の情報を表示する表示部や所定の情報を入力するボタン部を有する操作パネルを備えて、ユーザーが該操作パネルを操作することで記録処理に係る所望の設定や操作を行う。特許文献１に記載の操作パネルは、チルト機構を備えており、ユーザーが操作し易い任意の角度に変位させることが可能な構成となっている。
【先行技術文献】
【特許文献】
【０００３】
【特許文献１】特開２００７−８１２４８号公報
【発明の概要】
【発明が解決しようとする課題】
【０００４】
チルト機構の形態としては、特許文献１に記載のようにモータ等を用いて電動でパネルの角度を変位させる形態の他に、ラチェット機構等を用いて手動でパネルの角度を変位させる形態がある。この形態では、パネル本体に設けられた回動軸がハウジングにネジ止めされた軸受部に軸支されて、パネル本体がその回動軸周りに変位自在な構成となっているものが存在する。
ところで、家庭用プリンター等の小型の記録装置においては、ユーザーがこの変位可能なパネル本体を把持して装置を持ち運んだり、位置をずらしたりする等の予期せぬ行為を行うことがある。このときに、パネルを支持する軸受部に対して想定外の強い力が加わると、軸受部が、ネジ止めで固定された位置で亀裂が入り破損してしまう虞がある。
【０００５】
本発明は、上記問題点に鑑みてなされたもので、回動軸の軸受部の破損を防止して製品安全性の向上を図るチルトパネル及び記録装置を提供することを目的としている。
【課題を解決するための手段】
【０００６】
上記の課題を解決するために、本発明は、パネル本体に設けられた回動軸がハウジングにネジ止めされた軸受部に軸支されて上記回動軸周りに変位自在なチルトパネルであって、上記軸受部に上記ハウジングと係合する係合形状を有するという構成を採用する。
このような構成を採用することによって、本発明では、ネジ止めする部位の他に、軸受部にハウジングと係合する部位を設けることで、パネル本体から軸受部に加わる力を分散させて、軸受部の破損を防止する。
【０００７】
また、本発明においては、上記係合形状は、上記回動軸の軸方向において、上記パネル本体と上記ネジ止め位置との間の位置で上記係合するという構成を採用する。
このような構成を採用することによって、本発明では、軸受部にはパネル本体の回動軸から力が伝達されるため、回動軸の軸方向でネジ止め位置とパネル本体との間で係合させることで、係合形状に優先的に力を受けさせ、ネジ止め位置に作用する力を低減させる。
【０００８】
また、本発明においては、上記係合形状は、上記回動軸の軸方向と直交する方向において、上記ネジ止め位置よりも手前側で上記係合するという構成を採用する。
このような構成を採用することによって、本発明では、軸受部に対し回動軸周りの力が加わった場合であっても、回動軸の軸方向と直交する方向において、係合形状がネジ止め位置よりも手前側でハウジングと係合しているため、係合形状に優先的に力を受けさせ、ネジ止め位置に作用する力を低減させる。
【０００９】
また、本発明においては、上記係合形状は、上記軸受部に一体で設けられたフック形状であるという構成を採用する。
このような構成を採用することによって、本発明では、ハウジングと係合するフック形状を軸受部と一体とすることで、部品コスト及び組立コストを抑える。
【００１０】
また、本発明においては、上記ハウジングは、上記軸受部を位置決めする位置決めピンを有し、上記軸受部は、上記位置決めピンが挿入される開口部を有し、上記フック形状は、上記ハウジングと係合した状態で、上記位置決めピンよりも上記開口部が高くなるように上記軸受部を傾かせるためのテーパー形状を有するという構成を採用する。
このような構成を採用することによって、本発明では、フック形状を軸受部と一体とすると、組立時にハウジングに係合したフック形状が位置決めピンへの乗り上げを阻害するため、テーパー形状を追加して組立性を向上させる。
【００１１】
また、本発明においては、先に記載のチルトパネルを有する記録装置を採用する。
【図面の簡単な説明】
【００１２】
【図１】本発明の実施形態におけるインクジェットプリンターを示す斜視図である。
【図２】本発明の実施形態における操作パネルの軸受構造を示す斜視図である。
【図３】本発明の実施形態における軸受部がネジ止めされる内部ハウジングの構成を示す斜視図である。
【図４】本発明の実施形態における軸受部と内部ハウジングとの係合状態を示す斜視図である。
【図５】本発明の実施形態における軸受部の構成を示す斜視図である。
【図６】本発明の実施形態における内部ハウジングへの軸受部の組み付けを説明するための左側面図である。
【図７】本発明の実施形態における軸受部の作用を説明する左側面図である。
【図８】本発明の実施形態における軸受部の作用を説明する正面図である。
【図９】本発明の別実施形態における操作パネルの軸受構造を示す斜視図である。
【発明を実施するための形態】
【００１３】
以下、本発明に係るチルトパネル及び記録装置の実施形態について、図を参照して説明する。なお、以下の説明に用いる各図面では、各部材を認識可能な大きさとするため、各部材の縮尺を適宜変更している。本実施形態では、本発明に係るチルトパネルを有する記録装置として、操作パネルを有するインクジェット式プリンター（以下、インクジェットプリンターと称する）を例示する。
【００１４】
図１は、本発明の実施形態におけるインクジェットプリンター１を示す斜視図である。
インクジェットプリンター１は、記録用紙（記録媒体）をスタックするスタック部１０と、ユーザーが所定の情報を入力する操作パネル２０とを有する。
なお、以下の説明で、インクジェットプリンター１の奥行き方向をＸ軸方向と、Ｘ軸方向と直交する幅方向をＹ軸方向と、Ｘ軸方向及びＹ軸方向と直交する高さ方向をＺ軸方向と称して説明する場合がある。
【００１５】
スタック部１０は、ハウジング２に形成された取出口３において、給紙トレイ１１上に排紙トレイ１２が設けられる構成となっている。給紙トレイ１１は、記録用紙の取出方向下流側（−Ｘ側）に引き出し可能な構成となっている。
操作パネル２０は、スタック部１０の上部に設けられており、ハウジング２と同一面を形成する基準角度から所定の角度へと装置手前側（−Ｘ側）において変位可能なチルト機構を備える。
【００１６】
インクジェットプリンター１は、操作パネル２０から指令が入力されると、給紙トレイ１１にスタックされている記録用紙を一枚ずつピックアップして、ハウジング２内に配置された不図示の記録ヘッドを走査させ、記録用紙にインクを噴射し、文字や画像等の所望の情報を記録する記録処理を実施する。記録処理を経た記録用紙は、給紙トレイ１１上に配置された排紙トレイ１２上に排紙されてスタックされる。
【００１７】
次に、図２〜図６を参照して、本実施形態の操作パネル２０の軸受構造について詳しく説明する。
図２は、本発明の実施形態における操作パネル２０の軸受構造を示す斜視図である。
図３は、本発明の実施形態における軸受部２２がネジ止めされる内部ハウジング２ａの構成を示す斜視図である。
図４は、本発明の実施形態における軸受部２２と内部ハウジング２ａとの係合状態を示す斜視図である。
図５は、本発明の実施形態における軸受部２２の構成を示す斜視図である。
図６は、本発明の実施形態における内部ハウジング２ａへの軸受部２２の組み付けを説明するための左側面図である。
【００１８】
図２に示すように、操作パネル２０のパネル本体２１は、外装内の内部ハウジング（ハウジング）２ａにネジ止めされた軸受部２２に軸支されている。
パネル本体２１は、その両側面から突出して設けられた円筒状の回動軸２３を有する。パネル本体２１は、この回動軸２３を通るＹ軸周りに変位自在な構成となっている。
軸受部２２は、内部ハウジング２ａの上面２ａ１に対しネジ止めされるベース部３０と、回動軸２３を回転自在に挟み込む挟持部４０と、内部ハウジング２ａと係合する係合部（係合形状）５０とを有する。
【００１９】
ベース部３０は、内部ハウジング２ａの上面２ａ１に当接する当接面３０ａ（図５参照）を有する。このベース部３０は、当接面３０ａに垂直に貫通して形成されて、ネジ部材２４が挿入される第１の開口部３１と、同じく当接面３０ａに垂直に貫通して形成されて、内部ハウジング２ａの上面に立設された位置決めピン２ａ２が挿入される対となった第２の開口部（開口部）３２とを有する。
【００２０】
第１の開口部３１は、平面視で回動軸２３の軸線上に対応する位置に設けられている。したがって、図２に示すように、第１の開口部３１を挿通してベース部３０を内部ハウジング２ａに螺合させるネジ部材２４が位置するネジ止め位置は、平面視で回動軸２３の軸線上となる。
第２の開口部３２は、平面視で回動軸２３の軸線に対して奥側（＋Ｘ側）に対応する位置に設けられている。また、図５に示すように、第２の開口部３２が設けられる＋Ｘ側のベース部３０の端部には、組み付け時に第２の開口部３２へ位置決めピン２ａ２を誘導するためのテーパー部３３が設けられている。テーパー部３３と第２の開口部３２とは、Ｘ軸方向において同一直線上に配置される。
【００２１】
挟持部４０は、ベース部３０の上側（＋Ｚ側）に一体で立設されている。挟持部４０は、軸方向でニ分割された円筒形状を有しており、内周面側で回動軸２３をＸ軸方向において挟み込む構成となっている。この挟持部４０には、図２及び図４に示すように、円筒形状の外周面に沿って略Ｃ字形状のリングバネ４１が取り付けられており、このリングバネ４１の付勢力により、パネル本体２１を操作するユーザーにトルク感を与える構成となっている。
【００２２】
係合部５０は、ベース部３０の手前側（−Ｘ側）に一体で設けられている。係合部５０は、ベース部３０の手前側端部から下方（−Ｚ側）に延在すると共に直角に屈曲し、＋Ｘ側に延びて、図４に示すように、内部ハウジング２ａの下面２ｂ１側に潜り込むフック部（フック形状）５１を有する。フック部５１は、ベース部３０の当接面３０ａとＺ軸方向で対向する対向面５１ａを有する。係合部５０は、ベース部３０の当接面３０ａとフック部５１の対向面５１ａとの間で、内部ハウジング２ａを挟み込んで係合する構成となっている。また、図５に示すように、フック部５１の＋Ｘ側端部には、テーパー部（テーパー形状）５２が設けられている。
【００２３】
この係合部５０で係合する位置は、図２に示すように、回動軸２３の軸方向（Ｙ軸方向）において、パネル本体２１とネジ部材２４によるネジ止め位置との間に位置する。また、係合部５０は、回動軸２３の軸方向と直交する方向（Ｘ軸方向）において、ネジ部材２４によるネジ止め位置よりも手前側（−Ｘ側）から係合する構成となっている。
【００２４】
上記構成の軸受部２２の内部ハウジング２ａへの組み付けは、図６に示すように、フック部５１を内部ハウジング２ａの下面２ｂ１側に潜り込ませるために、軸受部２２を装置手前側から奥側へＸ軸方向においてスライドさせながら組み込む必要がある。本実施形態では、フック部５１がベース部３０と一体であるため、フック部５１が内部ハウジング２ａと係合した状態で、位置決めピン２ａ２よりも第２の開口部３２が高くなるように軸受部２２を傾かせるために、フック部５１にテーパー部５２を設けている。また、位置決めピン２ａ２を装置奥側に配置することで、装置手前側に係合するフック部５１との距離を離すことができるため、傾きによる第２の開口部３２の位置を高くすることができる。また、第２の開口部３２が設けられる＋Ｘ側のベース部３０の端部にはテーパー部３３が設けられており、組み付け時に第２の開口部３２へ位置決めピン２ａ２を適切に誘導することができる。
【００２５】
続いて、図７及び図８を参照して、本実施形態の操作パネル２０の軸受構造の作用について説明する。
図７は、本発明の実施形態における軸受部２２の作用を説明する左側面図である。
図８は、本発明の実施形態における軸受部２２の作用を説明する正面図である。
【００２６】
本実施形態では、ユーザーが変位したパネル本体２１を把持して持ち上げるような予期せぬ行為を行って、軸受部２２に対して想定外の強い力が加わったとしても、図７及び図８に示すように、その力をネジ部材２４によるネジ止め位置と係合部５０による係合位置とに分散させることができる。
【００２７】
図８に示すように、パネル本体２１を上方に持ち上げたときには、軸受部２２の−Ｙ側が持ち上がるような力が加わる。本実施形態では、係合部５０が、回動軸２３の軸方向において、パネル本体２１とネジ止め位置との間の位置で係合する構成となっているため、軸受部２２の−Ｙ側が持ち上がるような力を係合部５０が優先的に受けることができ、ネジ止め位置に作用する力を低減させることができる。
【００２８】
また、図７に示すように、パネル本体２１を上方に持ち上げたときには、軸受部２２の−Ｘ側が持ち上がるような力（トルク）が加わる。本実施形態では、係合部５０が、回動軸２３の軸方向と直交する方向において、ネジ止め位置よりも手前側（−Ｘ側）で係合する構成となっているため、軸受部２２の−Ｘ側が持ち上がるような力を係合部５０が優先的に受けることができ、ネジ止め位置に作用する力を低減させることができる。
【００２９】
したがって、上述した本実施形態によれば、パネル本体２１に設けられた回動軸２３が内部ハウジング２ａにネジ止めされた軸受部２２に軸支されて回動軸２３周りに変位自在な操作パネル２０であって、軸受部２２に内部ハウジング２ａと係合する係合部５０を有するという構成を採用し、ネジ止めする部位の他に、軸受部２２に内部ハウジング２ａと係合する部位を設けることで、パネル本体２１から軸受部２２に加わる力を分散させて、軸受部２２の破損を防止することができる。
したがって、本実施形態によれば、回動軸２３の軸受部２２の破損を防止して製品安全性が向上した操作パネル２０及びそれを備えるインクジェットプリンター１が得られる。
【００３０】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３１】
例えば、上述の実施形態では、係合部５０は、ベース部３０に一体で設けられている構成について説明したが、本発明はこの構成に限定されるものではなく、例えば図９に示す別実施形態のように、別部品としてもよい。別実施形態の係合部５０は、コの字形状を有しており、ベース部３０と内部ハウジング２ａとをＺ軸方向で挟み込むことで、軸受部２２と内部ハウジング２ａとを係合させる構成となっている。
【００３２】
また、例えば、上述の実施形態においては、記録装置がインクジェットプリンター１である場合を例にして説明したが、インクジェットプリンターに限られず、複写機及びファクシミリ等の装置であってもよい。
【符号の説明】
【００３３】
１…インクジェットプリンター（記録装置）、２ａ…内部ハウジング（ハウジング）、２ａ２…位置決めピン、２０…操作パネル（チルトパネル）、２１…パネル本体、２２…軸受部、２３…回動軸、２４…ネジ部材、３２…第２の開口部（開口部）、５０…係合部（係合形状）、５１…フック部（フック形状）、５２…テーパー部（テーパー形状）
【図１】
2011102020.tif 000003
【図２】
2011102020.tif 000004
【図３】
2011102020.tif 000005
【図４】
2011102020.tif 000006
【図５】
2011102020.tif 000007
【図６】
2011102020.tif 000008
【図７】
2011102020.tif 000009
【図８】
2011102020.tif 000010
【図９】
2011102020.tif 000011